(57)【特許請求の範囲】
【請求項１】
平面形状が略四角形の箱本体と、当該箱本体に内蔵され緩衝空間を底部に形成する支持台を具備した包装用箱に組み上がる一連の展開シートであって、
前記箱本体を構成する蓋構成部、背面板部、底板部、正面板部、及び側面構成部を備えると共に、
前記支持台を構成する吊板部、台部、突っ張り部、及び脚部を備え、
前記蓋構成部の蓋部、背面板部、底板部、正面板部、吊板部、台部、及び突っ張り部は、順に一列に連結し、
前記脚部は、前記台部の先端を支点とした前記突っ張り部の揺動に伴い離脱可能に台部に切り込まれ、
前記吊板部、台部、及び突っ張り部の幅は、前記箱本体の幅よりも狭く、
前記吊板部の長さは、当該吊板部が連続する前記正面板部の高さよりも短く、
前記台部の奥行は、前記箱本体の奥行と略等しく、
当該脚部の高さは、前記吊板部の長さと、当該吊板部が連続する正面板部の高さとの差に略等しい包装用箱の展開シートを用い、
前記吊板部と正面板部との境界で折り曲げ当該吊板部と正面板部を接着する工程と、
前記台部に包装すべき容器の底部を接着する工程又は前記台部に容器を装填した支持部材を載置する工程と、
当該台部上に支持した容器を内側にして、前記正面板部、底板部、背面板部、及び蓋構成部の蓋部、並びに吊板部、台部、及び突っ張り部を重ねて断面四角形の筒状に成形する工程と、
左右側面構成部を組み立てて両側面を封じる工程を経ることを特徴とする容器の包装方法。
【請求項２】
平面形状が略四角形の箱本体と、当該箱本体に内蔵され緩衝空間を底部に形成する支持台を具備した包装用箱に組み上がる一連の展開シートであって、
前記箱本体を構成する蓋構成部、背面板部、底板部、正面板部、及び側面構成部を備えると共に、
前記支持台を構成する吊板部、台部、突っ張り部、及び脚部を備え、
前記蓋構成部の蓋部、背面板部、底板部、正面板部、吊板部、台部、及び突っ張り部は、順に一列に連結し、
前記脚部は、前記台部の先端を支点とした前記突っ張り部の揺動に伴い離脱可能に台部に切り込まれ、
前記吊板部、台部、及び突っ張り部の幅は、前記箱本体の幅よりも狭く、
前記吊板部の長さは、当該吊板部が連続する前記正面板部の高さよりも短く、
前記台部の奥行は、前記箱本体の奥行と略等しく、
当該脚部の高さは、前記吊板部の長さと、当該吊板部が連続する正面板部の高さとの差に略等しい包装用箱の展開シートであって、
前記吊板部とそれに連続する正面板部が接合されている包装用箱の展開シートを用い、
前記台部に包装すべき容器の底部を接着する工程又は前記台部に容器を装填した支持部材を載置する工程と、
当該台部上に支持した容器を内側にして、前記正面板部、底板部、背面板部、及び蓋構成部の蓋部、並びに吊板部、台部、及び突っ張り部を重ねて断面四角形の筒状に成形する工程と、
左右側面構成部を組み立てて両側面を封じる工程を経ることを特徴とする容器の包装方法。
【請求項３】
前記突っ張り部と前記脚部との連結部を除く前記台部と突っ張り部の間、台部と吊板部との間、及び吊板部とそれに連続する正面板部との境界に、断続的な切込み又は非貫通の切込みを備える包装用箱の展開シートを用いることを特徴とする前記請求項１又は前記請求項２のいずれかに記載の容器の包装方法。
【発明の詳細な説明】
【技術分野】
【０００１】
本発明は、例えば、アンプルやバイヤル瓶などの割れ物からなる容器を収容するにあたり、外力からの緩衝空間を底部に形成する包装用箱及びその展開シート並びに当該展開シートを用いた包装方法に関する。
【背景技術】
【０００２】
従来、割れ物からなる容器を収容するにあたり、当該容器の破損の虞を軽減すべく、外力からの緩衝空間を底部に形成する支持台を、箱本体（箱主体）に収納する手法が用いられていた（例えば、下記特許文献１参照）。
【先行技術文献】
【特許文献】
【０００３】
【特許文献１】特開平１０−２９１５２２号公報
【発明の概要】
【発明が解決しようとする課題】
【０００４】
しかしながら、上記手法にあっては、箱本体と支持台の展開シートについて個々に裁断及び組み立ての工程が必要である他、組み上がった箱本体への支持台や緩衝剤の収容工程を要し極めて煩雑であり、それが箱本体の破損やパッケージの歩留まり低下を招来する。
【０００５】
この様な実態に鑑み、箱本体の破損の虞を軽減しつつ、より簡単かつ確実に容器の包装を行うことができる包装用箱及びその展開シート並びに包装方法が求められていた。
【課題を解決するための手段】
【０００６】
上記課題を解決すべく為された本発明による包装用箱は、一連の展開シートから組み立ててなり、平面形状が略四角形の箱本体と、当該箱本体に内蔵され緩衝空間を底部に形成する支持台を具備したラップアラウンド（wrap-around）型包装用箱である。
前記箱本体は、前記蓋部、背面板部、底板部、正面板部を一列に連結して備え、前記支持台は、前記箱本体の正面板部の上端から当該箱本体の内側へ垂下した吊板部と、当該吊板部の下端から背面板部に向かって延出した台部と、当該台部の先端から上方へ屈曲した突っ張り部と、前記台部の先端から台部の一部が下方へ屈曲してなる脚部を備え、前記突っ張り部と脚部は一体的に連続し、前記脚部は、前記吊板部の長さと前記正面板部の高さとの差分前記台部の先端から下方へ延出することを特徴とする。
【０００７】
上記課題を解決すべく為された本発明による包装用箱の展開シートは、平面形状が略四角形の箱本体と、当該箱本体に内蔵され緩衝空間を底部に形成する支持台を具備した包装用箱に組み上がる一連の展開シートである。
この展開シートは、前記箱本体を構成する蓋構成部、背面板部、底板部、正面板部、及び側面構成部を備えると共に、前記支持台を構成する吊板部、台部、突っ張り部、及び脚部を備え、前記蓋構成部の蓋部、背面板部、底板部、正面板部、吊板部、台部、及び突っ張り部を一列に連結して備えると共に、前記台部から切り出され当該台部と突っ張り部の境界を支点として当該突っ張り部の反対側で当該突っ張り部と一体的に揺動する脚部を備え、前記吊板部、台部、及び突っ張り部の幅は、前記箱本体の幅よりも狭く、前記吊板部の長さは、当該吊板部が連続する前記正面板部の高さよりも短く、前記台部の奥行は、前記箱本体の奥行と略等しく、当該脚部の高さは、前記吊板部の長さと、当該吊板部が連続する正面板部の高さとの差に略等しいことを特徴とする。
【０００８】
前本発明による包装用箱の展開シートは、前記突っ張り部と前記脚部との連結部を除く前記台部と突っ張り部の間、台部と吊板部との間、及び吊板部とそれに連続する正面板部との境界に、断続的な切込み又は非貫通の切込みを入れた構造を採ることができる。また、容器を包装する前に、予め、前記吊板部とそれに連続する正面板部とを接合した構造を採ることができる。
【０００９】
上記課題を解決すべく為された本発明による容器の包装方法は、前記台部に包装すべき容器の底部を接着する工程又は前記台部に容器を装填した支持部材を載置する工程と、当該台部上に支持した容器を内側にして、前記蓋構成部の蓋部、背面板部、底板部、正面板部、吊板部、台部、及び突っ張り部を筒状に組み立てる工程と、左右側面構成部を組み立てて両側面を封じる工程を経ることを特徴とする。
【発明の効果】
【００１０】
本発明による包装用箱によれば、前記箱本体は、前記蓋部、背面板部、底板部、正面板部を一列に連結して備えると共に、前記支持台は、前記箱本体の正面板部の上端から当該箱本体の内側へ垂下した吊板部と、当該吊板部の下端から背面板部に向かって延出した台部と、当該台部の先端から上方へ屈曲した突っ張り部と、前記台部の先端から台部の一部が下方へ屈曲してなる脚部を備え、且つ前記突っ張り部と脚部は一体的に連続する構成を持つことによって、前記吊板部とそれに連続する正面板部とが重なる様に折り曲げた上で、台部に容器の底部を接着し又は前記台部に容器を装填した支持部材を載置し、当該台部上に支持した容器を内側にして、前記蓋構成部の蓋部、背面板部、底板部、正面板部、吊板部、台部、及び突っ張り部を筒状に折り曲げる等により極めて容易に且つ手早く組み立てることができる。また、前記吊板部と脚部の存在によって、箱の底部に確実に緩衝空隙を設けることができる。
【００１１】
本発明による包装用箱の展開シートによれば、前記箱本体を構成する蓋構成部、背面板部、底板部、正面板部、及び側面構成部を備えると共に、前記支持台を構成する吊板部、台部、突っ張り部、及び脚部を備え、前記蓋構成部の蓋部、背面板部、底板部、正面板部、吊板部、台部、及び突っ張り部を一列に連結して備えると共に、前記台部から切り出され当該台部と突っ張り部の境界を支点として当該突っ張り部の反対側で当該突っ張り部と一体的に揺動する脚部を備える構成を採ることによって、前記吊板部とそれに連続する正面板部とが重なる様に折り曲げた上で、台部に容器の底部を接着し又は前記台部に容器を装填した支持部材を載置し、当該台部上に支持した容器を内側にして、前記蓋構成部の蓋部、背面板部、底板部、正面板部、吊板部、台部、及び突っ張り部を筒状に折り曲げる等により極めて容易に且つ手早く組み立てることができる。前記吊板部と脚部の存在によって、箱の底部に確実に緩衝空隙を設けることができる。
【００１２】
前記突っ張り部と前記脚部との連結部を除く前記台部と突っ張り部の間、台部と吊板部との間、及び吊板部とそれに連続する正面板部との境界に、断続的な切込みＤ又は非貫通の切込みＤを入れた構造を採ることによって、包装工程（特に折り曲げ工程）における支持台の屈曲位置にバラツキがなくなり、組み上げ後の安定した形態を得ることができるのみならず、包装工程（特に折り曲げ工程）における折り曲げ抵抗の緩和にも寄与する。
【００１３】
また、容器を包装する前に、予め、前記吊板部とそれに連続する正面板部とを接合した構造を採ることによって、当該台部上に支持した容器を内側にして、前記蓋構成部の蓋部、背面板部、底板部、正面板部、吊板部、台部、及び突っ張り部を筒状に組み立てる工程をワンアクションで行うことが可能となる。
【００１４】
前記展開シートの前記台部に包装すべき容器の底部を接着する工程又は前記台部に容器を装填した支持部材を載置する工程と、当該台部上に支持した容器を内側にして、前記蓋構成部の蓋部、背面板部、底板部、正面板部、吊板部、台部、及び突っ張り部を筒状に組み立てる工程と、左右側面構成部を組み立てて両側面を封じる工程を経ることによって、容器の収容及び位置決めが容易となり、ワンアクションによる組み立て工程を側面の密閉工程を経て、比較的容易にかつ速やかに容器の包装を行うことができる。
しかも、容器が予め台部に接着され、又は前記台部に容器を装填した支持部材が載置されていることから、箱本体の組み上げ後に、位置決め等の作業を要する容器の装填作業が不要となる。
【図面の簡単な説明】
【００１５】
【図１】本発明による包装用箱の展開シート及び包装方法の一例を示す組み立て過程における側面図と平面図である。
【図２】本発明による包装用箱の展開シート及び包装方法の一例を示す組み立て過程における側面図（上段）と平面図（下段）である。
【図３】本発明による包装用箱及びその展開シート並びに包装方法の一例を示す組み立て過程における側面図（上段）と平面図（下段）である。
【図４】本発明による包装用箱の展開シート並びに包装方法の一例を示す組み立て過程における平面図（上段）と側面図（下段）である。
【図５】本発明による包装用箱の展開シートの一例を示す（Ａ）：平面図と（Ｂ）：側面図である。
【図６】本発明による包装用箱の展開シートの一例を示す（Ａ）：平面図と（Ｂ）：側面図である。
【図７】本発明による包装用箱の一例を示す開封状況及び開封後の閉鎖状況を示す正面図である。
【図８】本発明による包装用箱に装填する支持部材及び容器の位置態様を示す（Ａ）：側面図、（Ｂ）：平面図、及び（Ｃ）：正面図である。
【発明を実施するための形態】
【００１６】
以下、本発明による包装用箱の実施の形態を、その展開シート及びそれを用いた包装方法の実施の形態と共に、詳細に説明する。
本発明による包装用箱は、一連の展開シートから組み立ててなり、上方へ開閉する蓋部１ａを具備する平面形状が略四角形の箱本体Ａと、当該箱本体Ａに内蔵され、緩衝空間を底部に形成すると共に、容器Ｃの下端部を支える支持台Ｂを具備したものである。
【００１７】
当該例において用いた展開シートは、前記ラップアラウンド型包装用箱に組み上がる一連の一枚の厚紙からなる展開シートであって、前記箱本体Ａを構成する蓋構成部１、背面板部２、底板部３、正面板部４、及び側面構成部５を備えると共に、前記支持台Ｂを構成する吊板部６、台部７、突っ張り部８、及び脚部９を備える（図５参照）。
【００１８】
当該例における蓋構成部１は、箱本体Ａの開口部の全体を覆う蓋部１ａと、当該蓋部１ａの先端から延出し正面板部４の表面に定着する封止部１ｂと、前記蓋部１ａの左右側方に各々連結し、前記箱本体Ａの側面を覆う側板部５ａからなる（図２参照）。前記蓋部１ａと側板部５ａとの境には、開封の際に両者を分断するミシン目１ｇを備える。
【００１９】
前記封止部１ｂは、全体として方形状を呈し、その先端中央部に設けた引き出しリップ１ｃの左右両端から当該封止部の左右側縁へ対照的に刻まれたミシン目１ｄを境として、中央部の開閉部１ｅと、左右先端部に設定した二つの定着部１ｆを備える（図７（Ａ）参照）。前記開閉部１ｅは、開封時においてミシン目１ｄが破断しＶ字状を呈して開閉可能となり、定着部１ｆは、正面板の表面に定着する際に接着されており、開封時にあっても正面板部４の表面に留まる（図７（Ｂ）（Ｃ））。
【００２０】
当該例における前記背面板部２、底板部３、及び正面板部４は、方形状に設定され、その左右側方に各々連結し、前記箱本体Ａの側面を閉鎖し、且つ前記側板部５ａを裏支えする横閉鎖片５ｂ、縦閉鎖片５ｃ、及び横閉鎖片５ｄを備える。
当該例における正面板部４は、前記背面板部２と略同寸法同形状であり、特に正面板部４の中央部には、前記引き出しリップ１ｃを挿入するための切込み４ａを備える（図７（Ｄ）参照）。
【００２１】
当該例における側面構成部５は、前記側板部５ａ、横閉鎖片５ｂ，５ｄ、及び縦閉鎖片５ｃとで構成され、２枚の横閉鎖片５ｂ，５ｄで箱本体Ａの側方開口部の大部分を封じ、更に、当該開口部を略等しい幅の縦閉鎖片５ｃを重ね、最後に、当該開口部と略等しい寸法の前記側板部５ａで、箱本体Ａの左右側方開口部を封鎖する（図３参照）。
【００２２】
当該例における吊板部６は、全体として方形状を呈し、その前記正面板部４の高さよりも短く設定され、中央下部に、前記正面板部４の切込みの全体を除く方形状の窓孔６ａを備えている（図１及び図４乃至図６参照）。
【００２３】
当該例における台部７は、全体として略方形状を呈し、その奥行は、前記箱本体Ａの奥行と略等しく、その先端から発するＵ字状の切込み７ａ，７ａを一対左右対称的に備えている。当該例における台部７は、当該切込み７ａを以って脚部９の裁断がなされ、且つその裁断は、切り出される脚部９の長さが台部７の高さと等しくなる様にされている。
【００２４】
当該例における突っ張り部８は、全体として略方形状を呈し、前記脚部９との間で屈曲が生じない様に、折り曲げ線や切込みを設けることなく脚部から続く一連の領域として設定する。而して、前記脚部９は、前記台部７の先端を支点とした前記突っ張り部８の揺動に伴い、当該支点を境として反対側に離脱し、前記台部７に対して一致した振れ角を以って揺動可能となる。
前記振れ角が直角となった際、当該脚部９の高さは最高となって台部７を支持するが、脚部９の長さを、前記吊板部６の長さと前記正面板部４の高さとの差に略等しく設定することによって、前記台部７と底板部３との平行を維持できる（図２（Ａ））。
【００２５】
上記包装用箱の展開シートは、前記封止部１ｂ、蓋部１ａ、背面板部２、底板部３、正面板部４、吊板部６、台部７、及び突っ張り部８は、順に一列に連結し、一方向への曲げ成形のみにより、箱本体Ａ及び支持台Ｂを重ねて断面方形状の筒状に成形することができる。
以下、本発明による容器の包装方法の実施の形態を図面に基づき具体的に説明する。
【００２６】
ここで示す例は、上記容器包装用箱の展開シートを用い、ガラス製の容器（バイヤル瓶）Ｃを包装する例である。
当該例は、前記吊板部６と正面板部４との境界で折り曲げ当該吊板部６と正面板部４を接着する折り重ね工程と、前記台部７に包装すべき容器Ｃの底部を容器Ｃ同士の間隔を離隔して接着する装填工程と、当該台部７に接着した容器Ｃを内側にして、前記正面板部４、底板部３、背面板部２、及び蓋構成部１の蓋部１ａ、並びに吊板部６、台部７、及び突っ張り部８を重ねて断面四角形の筒状に成形する包装工程と、左右側面構成部５を折り重ねて糊付けし両側面を封じる密封工程を経るものである。
【００２７】
前記折り重ね工程は、前記箱本体Ａの封止部１ｂ、蓋部１ａ、背面板部２、底板部３、及び正面板部４と、突っ張り部８、台部７、及び吊板部６とを二枚重ねにすると共に、前記箱本体Ａの封止部１ｂ、蓋部１ａ、背面板部２、底板部３、及び正面板部４と、突っ張り部８、台部７、及び吊板部６とを、前記正面板部４と吊板部６との境界を基点として位置決めするものである（図６参照）。
位置決めは、前記正面板部４と吊板部６との間で折り曲げ、且つ接着することによって安定することから、量産に供する場合には、上記展開シートの全てについて当該折り重ね工程を予め行った上で、以後の工程を行っても良い。
【００２８】
前記装填工程は、例えば、前記折り重ね工程を経た台部７の表面に、接着剤を塗布し、又は接着剤を塗布した粘着シートを、包装する各容器Ｃについて、縦横若しくは千鳥状又は全面に亘って各容器Ｃの側方へ十分な間隔を取れる配置が可能となる様に貼着し、それらの接着剤の上に、所定の装填手段で所定の個数の容器Ｃを所定の配置で載置し接着するものである（図１参照）。
前記接着剤は、包装工程又は輸送時の動揺や衝撃にあっても剥がれない強度を持ったものである必要がある。
【００２９】
前記装填工程の別の例としては、前記台部７の表面に、前記箱本体Ａの底板部３と略等しい形状の下支持部１１ａと、縦横若しくは千鳥状又は全面に亘って各容器Ｃの側方へ十分な間隔を取れる配置に容器Ｃの胴部断面形状をくり抜いた中支持部１１ｂとを備える箱状の支持部材１１を用いる例が挙げられる。即ち、各くり抜き部１０の各々に容器Ｃを装填した支持部材１１を、前記台部７の上に各々の縁を合わせて載置するものである（図８参照）。
尚、当該支持部材１１を単独で載置し、後に、各くり抜き部１０の各々に容器Ｃを装填することもできることは言うまでもない。
【００３０】
前記包装工程は、例えば、前記底板部３の位置を固定して、前記正面板部４及び前記背面板部２を直角に立ち上げ（図２（Ａ）参照）、当該背面板部２の上端から前記蓋部１ａで前記底板部３の上位を覆う様に直角に折り曲げ（図２（Ｂ）参照）、更に、当該蓋部１ａの先端から前記正面板部４の表面を覆う様に前記封止部１ｂを下向きに折り曲げるものである（図２（Ｃ）参照）。尚、前記装填工程において、予め、前記正面板部４の表面に接着剤を塗布しておけば、当該包装工程の終了を以って、前記封止部１ｂは、前記正面板部４の表面に定着する。
【００３１】
その際、前記正面板部４及び前記背面板部２を直角に立ち上げると、自動的に台部７の先端及び基端において前記突っ張り部８及び吊板部６が前記正面板部４及び背面板部２と同様に立ち上がると共に、前記突っ張り部８と一体的に揺動する脚部が台部７の構成面から離脱して立ち上がる（図２（Ａ）参照）。
この様に、本包装工程においては、前記支持台Ｂに対して別途操作を行うまでもなく、支持台Ｂによる高床構造が、容器Ｃを下支えする形態で形成されることとなる。
【００３２】
尚、当該例における展開シートは厚紙を用いていることから、前記正面板部４及び背面板部２を直角に立ち上げた際の、前記突っ張り部８及び吊板部６の立ち上がりの追従が不十分である場合には、前記支持台Ｂの組み上がり形態にバラツキが生じ容器Ｃが箱本体Ａの内面と抵触する可能性がある。
【００３３】
この様な前記支持台Ｂの成形上の便宜に鑑み、前記突っ張り部８と前記脚部９との連結部を除く前記台部７と突っ張り部８の間、台部７と吊板部６との間、及び吊板部６とそれに連続する正面板部４との境界に、断続的な切込みＤ又は非貫通の切込みＤを入れた展開シートとすることも可能である（図１又は図４参照）。
前記吊板部６、台部７、及び突っ張り部８の幅を、前記箱本体の内空部の幅よりも狭くすることも、前記支持台Ｂの成形上の便宜（組み上がり形態の安定化等）に資することとなる。
【００３４】
前記密封工程は、先にも書いた通り、２枚の横閉鎖片５ｂ，５ｄで箱本体Ａの側方開口部の大部分を封じ、更に、当該開口部を略等しい幅の縦閉鎖片５ｃを重ね、接着剤を適宜塗布しつつ、最後に、当該開口部と略等しい寸法の前記側板部５ａで、前記箱本体Ａの左右側方開口部を封鎖する（図３参照）。
【００３５】
以上の如く、前記展開シートを用い、前記包装方法を実施すれば、以下の通り、別途空隙部材や支持台を装填する必要が無く、前記箱本体Ａは、前記蓋部１ａ、背面板部２、底板部３、正面板部４を一列に連結して備え、前記支持台Ｂは、前記箱本体Ａの正面板部４の上端から当該箱本体Ａの内側へ垂下した吊板部６と、当該吊板部６の下端から背面板部２に向かって延出した台部７と、当該台部７の先端から上方へ屈曲した突っ張り部８と、前記台部７の先端を支点として当該台部７の一部が下方へ離脱してなる脚部９を備え、前記突っ張り部８と脚部９は一体的に連続し、前記脚部９は、前記吊板部６の長さと前記正面板部４の高さとの差分前記台部７の先端から下方へ延出し、緩衝空隙を形成するラップアラウンド型包装容器が、予め、容器Ｃが収納された状態で形成される。
【符号の説明】
【００３６】
Ａ  箱本体，Ｂ  支持台，Ｃ  容器，Ｄ  切込み，
１  蓋構成部，１ａ  蓋部，１ｂ  封止部，１ｃ  引出リップ，１ｄ  ミシン目，
１ｅ  開閉部，１ｆ  定着部，１ｇ  ミシン目，
２  背面板部，３  底板部，４  正面板部，４ａ  切込み，
５  側面構成部，５ａ  側板部，５ｂ  横閉鎖片，５ｃ  縦閉鎖片，５ｄ  横閉鎖片，
６  吊板部，６ａ  窓孔，７  台部，７ａ  切込み，８  突っ張り部，９  脚部，
１０  くり抜き部，１１  支持部材，１１ａ  下支持部，１１ｂ  中支持部，
【図１】
0005907771.tif 000002
【図２】
0005907771.tif 000003
【図３】
0005907771.tif 000004
【図４】
0005907771.tif 000005
【図５】
0005907771.tif 000006
【図６】
0005907771.tif 000007
【図７】
0005907771.tif 000008
【図８】
0005907771.tif 000009